(57)【要約】第１の種類のセル（１１０）及び第２の種類のセル（１２０〜１２２）を制御する第１及び第２の種類の基地局（１１１，１２５〜１２７）と、第１の種類の基地局（１１１）についての制御機能（１４０）とを備えるセルラシステム（１００）のための方法（２００）。制御機能（１４０）は、第１のセルの近くにあるセルのリスト、すなわち隣接セルリストを保守する。第１のセル内のＵＥ（１１２）は、隣接セルからの送信を測定し、これを報告する。ＵＥ（１１２）はティテクテッドセット（ＤＳ）測定を作成し、制御機能にこれを報告する。制御機能（１４０）はＤＳ測定の報告から第２の種類のセル（１２０〜１２２）を検索する。第２の種類のセルが発見された場合（２５０）、第２の種類の基地局において干渉を引き起こす、報告したＵＥからの送信を防ぐために、ＵＥのハンドオーバが開始される。
2010529732.tif 000002
【特許請求の範囲】
【請求項１】
無線セルラ電話システム（１００）において用いる方法（２００）であって、
前記システムは、
第１の種類のセル（１１０）を制御する、第１の種類の、第１の基地局（１１１）と、
第２の種類のセル（１２０〜１２２）を制御する、第２の種類の、第２の基地局（１２５〜１２７）とを備え、
前記それぞれのセルは、複数のユーザ端末（ＵＥ）を収容することが可能であり、
前記第１及び第２の種類のセルは、互いに少なくとも一部分が一致するそれぞれのカバレージを有し、
前記システム（１００）はさらに、前記第１の種類の基地局（１１１）のための制御機能（１４０）を備え、
前記方法は、
前記制御機能（１４０）に、前記第１のセルの近くにあるセルの第１のリスト、すなわち隣接セルリストを保守させる工程（２１０）と、
前記第１のセル内の第１のＵＥ（１１２）に、隣接セルからの送信を測定させ、そして当該測定を前記制御機能に対して報告させる工程（２２０）と、
前記第１のＵＥ（１１２）に、前記第１のセルの隣接セルではないセルからの送信の検出、いわゆるディテクテッドセット（ＤＳ）測定をさせ、そして当該測定を前記制御機能に対して報告させる工程（２３０）とを含み、
前記方法はさらに、
前記第２の種類（１２０〜１２２）のセルを特定するために、前記制御機能（１４０）に前記ＤＳ測定の前記報告の中を検索させる工程（２４０）と、
前記ＤＳ測定の前記報告において前記第２の種類のセルが発見された場合に、前記第２の種類の基地局において干渉を引き起こす、報告したＵＥからの送信を防ぐために、前記報告したＵＥのハンドオーバを前記制御機能が開始する工程（２５０）とを含むことを特徴とする方法。
【請求項２】
前記ハンドオーバは、他の動作周波数へのハンドオーバであることを特徴とする、請求項１に記載の方法（２００，２６０）。
【請求項３】
前記ハンドオーバは、他の規格の無線セルラ電話システムへのハンドオーバであることを特徴とする、請求項１に記載の方法（２００，２７０）。
【請求項４】
ＷＣＤＭＡシステムに適用されることを特徴とする、請求項１乃至３の何れか１項に記載の方法（２００，２８０）。
【請求項５】
前記制御機能（１４０）は、前記第２の種類の基地局（１２５〜１２７）によって用いられるスクランブル符号のリストを保守し、
前記第２の種類のセルは、前記リストを用いることで前記ＤＳの前記報告において特定されうることを特徴とする、請求項４に記載の方法（２００，２８０）
【請求項６】
前記制御機能（１４０）が無線ネットワーク制御装置（ＲＮＣ）であることを特徴とする、請求項４又は５に記載の方法（２００，２８０）。
【請求項７】
無線セルラ電話システム（１００）において用いるためのノード（３００）であって、
前記システムは、
第１の種類のセル（１１０）を制御する、第１の種類の、第１の基地局（１１１）と、
第２の種類のセル（１２０〜１２２）を制御する、第２の種類の、第２の基地局（１２５〜１２７）とを備え、
前記それぞれのセルは、複数のユーザ端末（ＵＥ）を収容することが可能であり、
前記第１及び第２の種類のセルは、互いに少なくとも一部分が一致するそれぞれのカバレージを有し、
前記ノード（３００）は、前記第１の種類の基地局（１１１）のための制御機能（１４０）として働くように意図され、
前記ノードは（３００）、
前記第１のセルの近くにあるセルの第１のリスト、すなわち隣接セルリストを保守する手段（３５０）と、
隣接セルからの測定された送信に関する報告を、前記第１のセル内の第１のＵＥから受信する手段（３１０，３３０）と、
前記第１のセルの隣接セルではないセルからの検出された送信、いわゆるディテクテッドセット（ＤＳ）測定に関する報告を、前記第１のＵＥから受信する手段（３１０，３３０）とを備え、
前記ノード（３００）はさらに、
前記第２の種類のセルを特定するために、前記ＤＳ測定に関する前記報告の中を検索させる手段（３４０，３５０）と、
前記ＤＳ測定に関する前記報告において前記第２の種類のセルが発見された場合に、前記第２の種類の基地局において干渉を引き起こす、報告したＵＥからの送信を防ぐために、前記報告したＵＥのハンドオーバを開始する手段（３４０，３２０，３１０）とを備えることを特徴とするノード。
【請求項８】
前記ハンドオーバのための手段（３４０，３２０，３１０）は、他の動作周波数へのハンドオーバを開始することを特徴とする、請求項７に記載のノード（３００）。
【請求項９】
前記ハンドオーバのための手段（３４０，３２０，３１０）は、他の規格の無線セルラ電話システムへのハンドオーバを開始することを特徴とする、請求項７に記載のノード。
【請求項１０】
ＷＣＤＭＡシステムにおける無線ネットワーク制御装置（ＲＮＣ）であることを特徴とする請求項７乃至９の何れか１項に記載のノード（３００）。
【請求項１１】
前記第２の種類の基地局（１２５〜１２７）によって用いられるスクランブル符号のリストを保守し、
前記第２の種類のセルは、前記リストを用いることで前記ＤＳの前記報告において特定されうることを特徴とする、請求項１０に記載のノード（３００）。
【発明の詳細な説明】
【技術分野】
【０００１】
本発明は、小さいセル、いわゆるフェムトセルと、「普通」のセル、いわゆるマクロセルとの双方が存在する、ＷＣＤＭＡシステムのようなセルラシステムにおけるセル間の干渉を回避するための方法及びデバイスを開示する。
【背景技術】
【０００２】
ＷＣＤＭＡの種類の無線セルラ電話システムにおいては、１つ又は少ない数の周波数のみがシステムによって用いられる。このことは、システムの異なるセルにおける送信が、異なるいわゆるスクランブル符号を用いてなされるという事実によって可能となる。
【０００３】
１つ又は少ない数の周波数のみがＷＣＤＭＡシステムにおいて用いられるという事実は、いわゆるフェムト基地局を配置する時に、問題を引き起こす。フェムト基地局は現在、例えば個人の家庭又は会社のような限定されたカバレージエリア、いわゆるフェムトセルにおいて、エンドユーザに対して無線セルラ電話カバレージを提供するために、開発されている。
【０００４】
フェムト基地局は、フェムト基地局が配置されることが意図されているシステム、すなわちこの場合はＷＣＤＭＡシステムの、「通常の」基地局として、おおむね設計されているだろう。しかしながら、フェムト基地局と、フェムト基地局が配置されるＷＣＤＭＡシステムの「通常の」又は「マクロ」基地局との間の主要な違いは、フェムト基地局の出力電力であり、従ってフェムト基地局によって提供されるセルによってカバーされることができる区域、すなわちフェムトセルである。フェムト基地局の出力電力は、マクロ基地局の出力電力よりも著しく小さく、従ってマクロセルの区域と比べてフェムトセルの大きさを制限する。
【０００５】
ＷＣＤＭＡシステムにおいて、より大きいマクロセルに散在させられたフェムトセルを用いる時に起こるかもしれない上述の問題は、マクロセルとフェムトセルとの双方が１つの同じ周波数で展開されるかもしれないという事実によって引き起こされる。このように、マクロセルにおけるユーザ端末（ＵＥ）は、マクロ基地局に送信する時、すなわちいわゆるアップリンク（ＵＰ）送信において、フェムトセルに干渉するかもしれない。
【０００６】
もしマクロＵＥがフェムト基地局に近いならば、高い出力電力レベルを用いてなされるかもしれないＵＥのＵＬ送信は、フェムト基地局において干渉を引き起こすかもしれない。
【０００７】
ＷＣＤＭＡシステムは、無線ネットワーク制御装置（ＲＮＣ）として知られる、基地局についての制御機能を備える。ＷＣＤＭＡシステムにおけるＲＮＣには、ＲＮＣが制御するセルの近くにあるセルをＲＮＣが追跡するのに用いる機能、いわゆる隣接リスト(Neighbor List)が存在する。ＲＮＣはまた、セル内のＵＥの一定の機能を制御し、これはセルの基地局を介してなされる。
【０００８】
潜在的には、ＵＥから近くのフェムト基地局へのＵＬ干渉を最小限にするために、隣接リストはＲＮＣによって用いられうる。しかしながら、ＷＣＤＭＡネットワークには多くのフェムトセルが配置されているかもしれないことが、想像される。もし多くのフェムトセルが配置されているならば、隣接リスト内のセルの数は限られるであろうために、フェムトセルの全てをマクロセルを取り囲むネイバー(Neighbor)として定義することはできないだろう。そして、もし可能であったとしても、このようなリストを最新に保つことに伴う作業には手が出せないだろう。
【０００９】
また、上述の問題は、フェムト基地局が家庭又は小さな会社において用いられることを意図されているために、フェムト基地局には何らかのアクセス制御が備えられているかもしれないという事実によって強調される。このことは、近くにあるＷＣＤＭＡセルのＵＥが、ＷＣＤＭＡにおけるソフト・ハンドオーバ又はソフター・ハンドオーバとして知られる機能を用いて接続することはできないであろうことを意味する。そうでなければこの機能は、干渉問題が生じないように、フェムト基地局の近くにあるマクロＵＥの送信を制御するかもしれない。
【発明の概要】
【００１０】
従って上に示されるように、マクロセルのＵＥからのＵＬ送信がフェムト基地局において干渉を引き起こす危険を削減又は排除するという要求が存在する。
【００１１】
マクロ基地局のような第１の種類の第１の基地局と、フェムト基地局のような第２の種類の第２の基地局とを含む無線セルラ電話システムにおいて用いられる方法を本発明が開示するという点で、この要求は本発明によって取り組まれる。
【００１２】
上述の２つの基地局は、それぞれ第１の種類のセルと第２の種類のセルとを制御し、それぞれのセルは複数のユーザ端末（ＵＥ）を収容することができる。前記第１及び第２の種類のセルは、互いに少なくとも一部分が一致するそれぞれのカバレージを有し、前記システムはさらに、前記第１の種類の基地局のための制御機能を備える。
【００１３】
本発明の方法は、
前記制御機能に、前記第１のセルの近くにあるセルのリスト、すなわち隣接セルリストを保守させる工程と、
前記第１のセル内のＵＥに、隣接セルからの送信を測定させ、そして当該測定を前記制御機能に対して報告させる工程と、
前記第１のＵＥにまた、前記第１のセルの隣接セルではないセルからの送信の検出、いわゆるディテクテッドセット測定をさせ、そして当該測定を前記制御機能に対して報告させる工程とを含む。
【００１４】
さらに、本発明の方法は、
前記第２の種類のセルを特定するために、前記制御機能に前記ＤＳ測定の前記報告を検索させる工程と、
前記ＤＳ測定の前記報告において前記第２の種類のセルが発見された場合に、前記第２の種類の基地局において干渉を引き起こす、報告したＵＥからの送信を防ぐために、前記報告したＵＥのハンドオーバを前記制御機能が開始する工程とを含む。
【００１５】
このように、本発明によって、フェムト基地局のカバレージ内にあることが検出されたマクロＵＥはハンドオーバされることができるために、マクロＵＥからのＵＬ送信によって引き起こされる、フェムトセルにおける干渉は、削減又は排除されることができる。
【００１６】
本発明のこの利点及び他の利点が、以下の詳細な説明からいっそう明らかとなるだろう。
【００１７】
ＷＣＤＭＡシステムにおけるマクロ基地局のための制御機能として用いられるノードを、本発明はまた開示する。
【００１８】
添付の図面を参照して、以下で本発明がより詳細に説明される。
【図面の簡単な説明】
【００１９】
【図１】本発明が適用されることができるシステムの概略を示す。
【図２】本発明の方法のフローチャートを示す。
【図３】本発明の制御機能のブロック図を示す。
【発明を実施するための形態】
【００２０】
図１は、本発明が用いられることができるシステム１００の一部の例を示す。本発明及び特に図１がさらに説明される前に、本発明は主にＷＣＤＭＡシステムについて意図されているが、本発明はこのような応用例に限定されないことが、明らかにされるべきである。従って以下の文章ではときおり、セルラ電話で一般的ないくつかの用語が、ＷＣＤＭＡに特有の用語の代わりに用いられるだろう。
【００２１】
このような一般用語の１つの例が、システムにおいてセルへのトラフィック及びセルからのトラフィックを制御する機能を示すために用いられる、「基地局」という用語である。いくつかのシステムにおいては、この機能は無線基地局（ＲＢＳ）として知られ、ＷＣＤＭＡシステムにおいて用いられる用語は通常Ｎｏｄｅ  Ｂである。他のシステムにおいては、無線基地局装置（ＢＴＳ）又はｅＮｏｄｅＢが用いられる。従って、セルラシステムにおける全てのこのような機能又はノードを包含することを意図されている一般的な用語であることが、「基地局」という用語には意図されている。
【００２２】
システム１００は、「普通の」又はマクロ基地局と本質的に同じ機能を備えるが、マクロセルよりも著しく小さいセル（すなわちフェムトセル）を有する基地局（いわゆるフェムト基地局）である、複数の第２の種類の基地局１２５〜１２７を含む。
【００２３】
例として、フェムトセルはマクロセルよりも１０００倍小さい区域を有するかもしれないし、もっと小さいかもしれない。フェムト基地局１２５〜１２７によって制御されるセル、すなわちフェムトセルは、図１の１２０〜１２２として示される。図１に示されるようにシステム１００はまた、フェムト基地局を制御するための機能１４０（いわゆる無線ネットワーク制御装置（ＲＮＣ）１４０）を備えるかもしれない。このようなＲＮＣの役割は当業者によく知られており、よって本明細書ではより詳細には説明されない。
【００２４】
図１のフェムト基地１２０〜１２２のフェムトセルのそれぞれに、ユーザ端末（ＵＥ）を有する第１の数のユーザが存在しうる。ＵＥの１つは１２３として、セル１２０内に示されている。
【００２５】
図１にはまた、自身のセル１２０〜１２２を有するフェムト基地１２５〜１２７が内部に位置する、マクロセル１１０が示されている。これは単なる例に過ぎず、マクロセルとの部分的な重なりしか持たないカバレージをフェムトセルが有することも可能である。マクロセル１１０は、ユーザ端末（ＵＥ）を持つ複数のユーザを有することが可能であり、このＵＥの１つは１１２として図１に示されている。マクロセル１１０におけるＵＥへのトラフィック及びＵＥからのトラフィックは、図１の１１１として示されるマクロ無線基地局（ＲＢＳ）によって制御される。マクロ基地局は、以下では「ＮｏｄｅＢ」としても呼ばれるだろう。
【００２６】
ＮｏｄｅＢ１１１は引き続いてＲＮＣによって制御される。図１に示されるように、このＲＮＣはフェムト基地局を制御するものと同じＲＮＣ１４０であることもできるし、ＮｏｄｅＢ１１１のＲＮＣは別のＲＮＣであることもできる。
【００２７】
本明細書で前に説明されたように、本発明によって検討されることが意図されている問題の１つは、マクロセル１１０内のＵＥ１１２からのアップリンク（ＵＬ）送信が、特にフェムトセル内で用いられる出力電力レベルと比べた場合にこれらの送信が高いレベルの出力電力で行われるために、フェムト基地局１２５〜１２７において干渉を引き起こすかもしれないという事実である。
【００２８】
以下でより詳細に説明されるように、マクロセル１１０のＲＮＣに、マクロセル１１０内のＵＥがフェムト基地局１２５〜１２７の１つの「ヒアリングレンジ」（無線検知）内に入ってきたかを検知させるというコンセプトを本発明は含み、もしそうならば、問題のフェムトセルによってＵＥのＵＬ送信が受信されないように、ＮｏｄｅＢのＲＮＣは問題のＵＥのハンドオーバを開始する。
【００２９】
ハンドオーバの理由はＵＥのＵＬ送信による干渉を防ぐことであるから、ハンドオーバは様々な種類のものであることができ、ハンドオーバはいわゆる周波数間ハンドオーバ（ＩＦＨＯ）であることができる。
【００３０】
ＩＦＨＯの場合、ＵＥは他の動作周波数にハンドオーバされるが、依然として同じＮｏｄｅＢによって扱われることができるし、新しい周波数において他のＮｏｄｅＢによって扱われることもできる。このようにＩＦＨＯの場合、ＵＥは依然としてＷＣＤＭＡシステムにおいて動作するが、他の周波数で動作する。
【００３１】
ハンドオーバはまた、いわゆるインター・ラジオ・アクセス・テクノロジ・ハンドオーバ（ＩＲＡＴ  ＨＯ）であってもよい。ＩＲＡＴ  ＨＯの場合、ＵＥは他のシステムにハンドオーバされる。すなわち、ＵＥは例えばＧＳＭシステム又はＬＴＥシステムのような他の規格の無線セルラ電話システムで動作するだろう。ハンドオーバ先となる基地局は、新しい規格に従って動作するように準備されているのならば従前通り同じ基地局であってもよいし、適切な装置を有する他の基地局であることもできる。
【００３２】
ＩＲＡＴ  ＨＯは、ＷＣＤＭＡのカバレージがほとんどない又は全くないが、例えばＧＳＭカバレージが存在する区域にＷＣＤＭＡシステムのＵＥが移動する場合、マクロセルのみを有するシステムにおいて用いられうることに、言及することができる。
【００３３】
続いて、「他のセル」を聴取するＵＥ、「他のセルと通信している」ＵＥ、又は「他のセルからの送信を検出した」ＵＥ、などに対して問い合わせがなされてもよい。これらのフレーズは、ＵＥが他のセルのＮｏｄｅＢからの送信を聴取する、ＵＥが他のセルのＮｏｄｅＢと通信している、又はＵＥが他のセルのＮｏｄｅＢからの送信を検出する、などと述べることの代わりに用いられうる。
【００３４】
システム１００のＲＮＣは、制御するＮｏｄｅＢのそれぞれのセルについて、そのセルの近くにあるセルのリスト（隣接セルリスト(Neighbor Cell List)）を有する。隣接セルリストは、リスト内のそれぞれのセルについて、例えばセルＩＤ及びセルのスクランブル符号のような、複数のパラメータを含む。ＷＣＤＭＡシステムにおいて、スクランブル符号を含み、リスト内のセルの出力電力レベルも含むかもしれない隣接リストは、ＲＮＣによってＵＥへと送られることができる。そして、ＵＥはそれを制御するＲＮＣによって、隣接リスト内のセルからの送信を聴取するように要求してもよい。そして、検出した他のセルからの送信をＲＮＣへと報告してもよい。これは、ＮｏｄｅＢを介してなされる。
【００３５】
しかしながら、ＵＥがそのＲＮＣから受け取った隣接リストに存在しないセルからのＮｏｄｅＢ送信を検出したことをＵＥが報告した場合、問題が発生する。もしそのようなセル／ＮｏｄｅＢがＵＥによって検出され、ＵＥのセルのＲＮＣに報告されると、検出されたセルはＵＥのＡＳに含められることができない。そのようなセル、すなわちＵＥの隣接セルリストに存在しないセルはそれでも、例えば３ＧＰＰにおいてディテクテッドセット（ＤＳ）測定として知られる機能によって、ＵＥによって検出されることができる。ＤＳ機能は、ＵＥの隣接セルリストに含まれるか否かに関わらず、特定の周波数上での、好適にはＵＥのＡＳ内のＮｏｄｅＢによって使われる周波数上での、全ての送信を検出することをＵＥが試みるのに用いる機能である。ＵＥがＤＳ測定において送信を検出した時、ＵＥはＤＳ測定において検出されたスクランブル符号を含む測定報告を、ＵＥのＲＮＣに送る。
【００３６】
要するに、以下でより詳細に説明されるように、本発明によって、ＤＳ測定報告を受け取るＲＮＣは、ＤＳ測定の間に検出されたセルがフェムトセルであるかどうかを知るために、この報告の内容を用いることができるだろう。好適な一実施形態によれば、検出されたセルがフェムトセルであるかどうかを知るための確認は、リアルタイムに行われるか、又は可能な限りリアルタイムに近く行われる。そして、セルがフェムトセルであることが分かった場合、前に述べられたハンドオーバが開始されるだろう。
【００３７】
ここで、報告内のセルのどれかがフェムトセルであるかどうかを知るために、本発明に従って、どのようにＲＮＣがＤＳ測定の確認を実行することができるかに関心を移す。これは、以下の方法によって行われるだろう。複数のスクランブル符号が、フェムトセルのみによって用いられるために、システムによって保存されうる。ＲＮＣはこれらの符号のリストを保守し、ＲＮＣがＤＳ報告を受け取った時には、ＲＮＣはこのＤＳ報告内のスクランブル符号のどれかが、フェムトセルのために保存されたスクランブル符号のうちの１つであるかどうかを確認することができる。
【００３８】
ＵＥからのＤＳ報告がフェムトセルからのスクランブル符号を含むものとして特定された場合には、ＩＦＨＯ又はＩＲＡＴ  ＨＯのハンドオーバ（ＨＯ）が、問題のＵＥについて開始されることができる。
【００３９】
ＲＮＣが保存されたスクランブル符号のリストを保守することの代替策として、様々なインタラクティブなシナリオが可能である。例えば、検索を実行するノードにＤＳ報告をＲＮＣが転送する。この場合、例えば「フェムト」／「フェムトはない」又は「ＨＯ開始」／「ＨＯを開始しない」のような検索の結果をＲＮＣが単純に受け取るだろう。他の代替策として、ＲＮＣはリストを保持するノードから保存されたスクランブル符号のリストを受け取ることができる。当業者には明らかであろうが、他の選択肢もまた可能である。
【００４０】
図２は、本発明の方法２００の概略フローチャートを示す。任意のもの又は択一的であるステップは、破線で示されている。
【００４１】
上述の説明から明らかとなるように、本方法はＷＣＤＭＡシステムのような無線セルラ電話システムにおいて用いることが意図されている。本発明が適用されるシステムは、第１の種類の基地局と第２の種類の基地局と、例えばマクロ基地局とフェムト基地局と、を含み、第１の種類のセルと第２の種類のセルとのそれぞれ、例えばこの例ではマクロセルとフェムトセルと、を制御する。２つのセルのカバレージは、互いに少なくとも部分的に一致すべきである。そしてこのシステムは第１の種類の基地局についての制御機能、例えば本発明がＷＣＤＭＡシステムにおいて用いられるのならＲＮＣ、を含むだろう。
【００４２】
図２のステップ２１０に示されるように、本方法２００は、制御機能（例えばＲＮＣ）に、第１のセルの近くにあるセルのリスト（隣接セルリスト）を保守させる工程を含む。
【００４３】
ステップ２２０は、第１の種類のセル内（すなわちこの場合はマクロセル）のＵＥに、隣接セル(Neighbor Cell)からの送信を測定させ、これを制御機能に報告させる工程を本方法２００が含むことを示す。
【００４４】
同様に示されるのはステップ２３０であり、このステップは、そのセルの隣接セルではないセルからの送信を測定するＵＥに検出させる工程、いわゆるディテクテッドセット（ＤＳ）測定を含み、これは制御機能に報告される。
【００４５】
さらに本方法は、ステップ２４０に示されるように、第２の種類のセルを特定するために制御機能にＤＳ測定報告を検索させる工程を含み、第２の種類の（例えばフェムト）セルがＤＳ測定報告内に発見された場合には、報告したＵＥからの送信が第２の種類の基地局（フェムト基地局）において干渉を引き起こすことを防ぐために、報告したＵＥのハンドオーバを制御機能が開始させるであろうステップ２５０を含む。
【００４６】
ステップ２６０に示されるようにハンドオーバはＩＦＨＯであることができ、ステップ２７０に示されるようにその代わりにＩＲＡＴ  ＨＯであることができる。他のシステム、例えばＬＴＥシステム、もまた本発明の応用領域ではあるが、ステップ２８０は、本発明がＷＣＤＭＡに好適に適用されることを示すために用いられる。
【００４７】
図３は、本発明の制御ノード３００（例えばＲＮＣ）の概略ブロック図である。図３に示されるように本発明のＲＮＣ３００は、ＮｏｄｅＢへ／ＮｏｄｅＢからの、及びこれを介するＵＥとの、トラフィックの送信及び受信の双方のために用いられるインタフェース３１０を備える。本発明のＲＮＣ３００は、ＲＮＣ３００が制御するＮｏｄｅＢとＵＥとの少なくとも一方と、例えばインターネット又は他の何らかのそのようなネットワークを介して交信することが可能であり、この場合インタフェース３１０はこのネットワークへのインタフェースとして働くだろう。
【００４８】
本発明のＲＮＣはまた送信機能３２０及び受信機能３３０を備え、同様に制御及び計算機能、好適には図３に示されるマイクロプロセッサ３４０を備え、そしてＲＮＣ３００はまたメモリ手段３５０を備えるだろう。
【００４９】
メモリ手段３５０は、上で説明された隣接セルリストを保守するために働き、このときプロセッサ３４０によって補助されてもよい。
【００５０】
インタフェース３１０及び受信部３３０は、ＮｏｄｅＢを介してＵＥと通信するために、すなわちＵＥによって検出された隣接セルからの送信に関するＵＥからの報告を受信するため、そしてまた第１のセルの隣接セルではないセルからの送信に関するＵＥからの報告、すなわちディテクテッドセット測定を受信するために、用いられうる。プロセッサ３４０、及び場合によってはメモリ手段３５０も、フェムトセルを特定するためにＤＳ報告を検索することができる。
【００５１】
プロセッサ３４０は、送信部３２０及びインタフェース３１０とともに、フェムトセルがＤＳ測定報告の中で発見された場合に、報告したＵＥのハンドオーバを開始するために用いられることができる。
【００５２】
最後に、ＵＥによって実行される測定、すなわち隣接セル及びディテクテッドセット・セルの測定は、ＵＥによって独立に実行されることができ、又は上で説明されたようにＲＮＣから命令されることができることが、言及されるべきである。後者の場合、プロセッサ３４０は測定が実行されるべき時を追跡してもよいし、インタフェース３１０及び送信部３２０は、好適にはＮｏｄｅＢを介して、ＵＥへと測定命令を送信するために用いられてもよい。
【００５３】
この提案された機能は、システムの性能を向上することができ、小さいセルにおけるＵＬの干渉を減らすことができ、こうして同じ周波数に小さいＷＣＤＭＡセル及び大きいＷＣＤＭＡセルを混合することをいっそう魅力的なものにする。しかしながら、同じ問題に遭遇する他のシステムにおいても本発明は用いられることができ、従ってＷＣＤＭＡシステムに限定されるものとして理解されるべきではない。
【００５４】
本発明は、上で説明され図面に示された実施形態の例には限定されず、添付の請求の範囲内で自由に変更されることができる。
【図１】
2010529732.tif 000003
【図２】
2010529732.tif 000004
【図３】
2010529732.tif 000005
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
無線セルラＷＣＤＭＡ電話システム（１００）において用いる方法（２００）であって、
前記システムは、
第１の種類のセル（１１０）を制御する、第１の種類の、第１の基地局（１１１）と、
第２の種類のセル（１２０〜１２２）を制御する、第２の種類の、第２の基地局（１２５〜１２７）とを備え、
前記それぞれのセルは、複数のユーザ端末（ＵＥ）を収容することが可能であり、
前記第１及び第２の種類のセルは、互いに少なくとも一部分が一致するそれぞれのカバレージを有し、
前記システム（１００）はさらに、前記第１の種類の基地局（１１１）のための制御機能（１４０）を備え、
前記方法は、
前記制御機能（１４０）に、前記第１のセルの近くにあるセルの第１のリスト、すなわち隣接セルリストを保守させる工程（２１０）と、
前記第１のセル内の第１のＵＥ（１１２）に、隣接セルからの送信を測定させ、そして当該測定を前記制御機能に対して報告させる工程（２２０）と、
前記第１のＵＥ（１１２）に、前記第１のセルの隣接セルではないセルからの送信の検出、いわゆるディテクテッドセット（ＤＳ）測定をさせ、そして当該測定を前記制御機能に対して報告させる工程（２３０）とを含み、
前記方法はさらに、
前記第２の種類（１２０〜１２２）のセルを特定するために、前記制御機能（１４０）に前記ＤＳ測定の前記報告の中を検索させる工程（２４０）と、
前記ＤＳ測定の前記報告において前記第２の種類のセルが発見された場合に、前記第２の種類の基地局において干渉を引き起こす、報告したＵＥからの送信を防ぐために、前記報告したＵＥのハンドオーバを前記制御機能が開始する工程（２５０）とを含み、
前記制御機能（１４０）は、前記第２の種類の基地局（１２５〜１２７）によって用いられるスクランブル符号のリストを保守し、前記第２の種類のセルが、前記リストを用いることで前記ＤＳの前記報告において特定されうることを特徴とする方法。
【請求項２】
前記ハンドオーバは、他の動作周波数へのハンドオーバであることを特徴とする、請求項１に記載の方法（２００，２６０）。
【請求項３】
前記ハンドオーバは、他の規格の無線セルラ電話システムへのハンドオーバであることを特徴とする、請求項１に記載の方法（２００，２７０）。
【請求項４】
前記制御機能（１４０）が無線ネットワーク制御装置（ＲＮＣ）であることを特徴とする、請求項１乃至３の何れか１項に記載の方法（２００，２８０）。
【請求項５】
無線セルラＷＣＤＭＡ電話システム（１００）において用いるための、無線ネットワーク制御装置ノード（３００）であって、
前記システムは、
第１の種類のセル（１１０）を制御する、第１の種類の、第１の基地局（１１１）と、
第２の種類のセル（１２０〜１２２）を制御する、第２の種類の、第２の基地局（１２５〜１２７）とを備え、
前記それぞれのセルは、複数のユーザ端末（ＵＥ）を収容することが可能であり、
前記第１及び第２の種類のセルは、互いに少なくとも一部分が一致するそれぞれのカバレージを有し、
前記ノード（３００）は、前記第１の種類の基地局（１１１）のための制御機能（１４０）として働くように意図され、
前記ノード（３００）は、
前記第１のセルの近くにあるセルの第１のリスト、すなわち隣接セルリストを保守する手段（３５０）と、
隣接セルからの測定された送信に関する報告を、前記第１のセル内の第１のＵＥから受信する手段（３１０，３３０）と、
前記第１のセルの隣接セルではないセルからの検出された送信、いわゆるディテクテッドセット（ＤＳ）測定に関する報告を、前記第１のＵＥから受信する手段（３１０，３３０）とを備え、
前記ノード（３００）はさらに、
前記第２の種類のセルを特定するために、前記ＤＳ測定に関する前記報告の中を検索させる手段（３４０，３５０）と、
前記ＤＳ測定に関する前記報告において前記第２の種類のセルが発見された場合に、前記第２の種類の基地局において干渉を引き起こす、報告したＵＥからの送信を防ぐために、前記報告したＵＥのハンドオーバを開始する手段（３４０，３２０，３１０）と、
前記第２の種類の基地局（１２５〜１２７）によって用いられるスクランブル符号のリストを保守する手段であって、前記第２の種類のセル（１２０〜１２２）が、前記リストを用いることで前記ＤＳの前記報告において特定されうる手段とを備えることを特徴とするノード。
【請求項６】
前記ハンドオーバのための手段（３４０，３２０，３１０）は、他の動作周波数へのハンドオーバを開始することを特徴とする、請求項５に記載のノード（３００）。
【請求項７】
前記ハンドオーバのための手段（３４０，３２０，３１０）は、他の規格の無線セルラ電話システムへのハンドオーバを開始することを特徴とする、請求項５に記載のノード。
【手続補正書】
【提出日】平成22年4月30日(2010.4.30)
【手続補正１】
【補正対象書類名】特許請求の範囲
【補正対象項目名】請求項５
【補正方法】変更
【補正の内容】
【請求項５】
無線セルラＷＣＤＭＡ電話システム（１００）において用いるための、無線ネットワーク制御装置ノード（３００）であって、
前記システムは、
第１の種類のセル（１１０）を制御する、第１の種類の、第１の基地局（１１１）と、
第２の種類のセル（１２０〜１２２）を制御する、第２の種類の、第２の基地局（１２５〜１２７）とを備え、
前記それぞれのセルは、複数のユーザ端末（ＵＥ）を収容することが可能であり、
前記第１及び第２の種類のセルは、互いに少なくとも一部分が一致するそれぞれのカバレージを有し、
前記ノード（３００）は、前記第１の種類の基地局（１１１）のための制御機能（１４０）として働くように意図され、
前記ノード（３００）は、
前記第１のセルの近くにあるセルの第１のリスト、すなわち隣接セルリストを保守する手段（３５０）と、
隣接セルからの測定された送信に関する報告を、前記第１のセル内の第１のＵＥから受信する手段（３１０，３３０）と、
前記第１のセルの隣接セルではないセルからの検出された送信、いわゆるディテクテッドセット（ＤＳ）測定に関する報告を、前記第１のＵＥから受信する手段（３１０，３３０）とを備え、
前記ノード（３００）はさらに、
前記第２の種類のセルを特定するために、前記ＤＳ測定に関する前記報告の中を検索する手段（３４０，３５０）と、
前記ＤＳ測定に関する前記報告において前記第２の種類のセルが発見された場合に、前記第２の種類の基地局において干渉を引き起こす、報告したＵＥからの送信を防ぐために、前記報告したＵＥのハンドオーバを開始する手段（３４０，３２０，３１０）と、
前記第２の種類の基地局（１２５〜１２７）によって用いられるスクランブル符号のリストを保守する手段であって、前記第２の種類のセル（１２０〜１２２）が、前記リストを用いることで前記ＤＳの前記報告において特定されうる手段とを備えることを特徴とするノード。
【国際調査報告】
2010529732.tif 000006
2010529732.tif 000007
2010529732.tif 000008
2010529732.tif 000009